(57)【特許請求の範囲】
【請求項１】
取水するための原水流入口と浄化した水を排出する浄水流出口とを有する浄水手段と、外郭を形成する本体を有し前記浄水手段で浄化した水を加熱し出湯する湯沸かしユニットとを備え、前記湯沸かしユニットは、水道水を前記本体内に導入し、前記水道水を前記浄水手段に排出する原水流出口と前記浄水手段で浄化した水道水を前記本体内に取水する浄水流入口とを前記本体の外面に設け、前記浄水手段を前記湯沸かしユニットに着脱可能として取り付けた給湯装置。
【請求項２】
取水するための原水流入口と浄化した水を排出する浄水流出口とを有する浄水手段と、外郭を形成する本体を有し前記浄水手段で浄化した水を前記本体内に導入し給水経路を通して前記本体内に設けられた貯水容器に吐水しさらに前記貯水容器内で加熱して出湯する湯沸かしユニットとを備え、前記湯沸かしユニットは、水道水を前記本体内に導入するとともに、前記給水経路上に前記浄水手段で浄化した水道水を前記本体外部の浄水口から吐出させるよう切り替えるための切替弁を有し、前記水道水を前記浄水手段に排出する原水流出口と前記浄水手段で浄化した水道水を取水する浄水流入口とを前記本体の外面に設け、前記浄水手段を前記湯沸かしユニットに着脱可能として取り付けた給湯装置。
【請求項３】
湯沸かしユニットの原水流出口と浄水手段の原水流入口、並びに湯沸かしユニットの浄水流入口と浄水手段の浄水流出口とを対向して設ける構成とした請求項１〜２のいずれか１項に記載の給湯装置。
【請求項４】
取水するための原水流入口と浄化した水を排出する浄水流出口とを有する浄水手段と、前記浄水手段で浄化した水を加熱し出湯する湯沸かしユニットとを備え、前記湯沸かしユニットは、凸部を設け、前記凸部には少なくとも水道水を導入する原水経路と接続する原水供給口と、前記水道水を排出する原水流出口と、前記浄水手段で浄化した水道水を取水する浄水流入口と、前記浄水手段で浄化した水道水が通る浄水経路と接続する浄水出口と、湯が通る出湯経路と接続する熱湯出口とを設け、前記浄水手段を前記湯沸かしユニットの外面に沿って設けるとともに、前記浄水手段を前記凸部に着脱可能として取り付けた給湯装置。
【請求項５】
湯沸かしユニットは、水を貯える貯水容器と前記水を加熱するヒータと、前記貯水容器で発生する蒸気を逃がす蒸気経路とを備え、前記蒸気経路と接続する蒸気出口を、凸部にさらに設けた請求項４に記載の給湯装置。
【請求項６】
凸部を湯沸かしユニットの上部に設けるとともに、前記凸部の上面に原水供給口と浄水出口と熱湯出口を設け、前記凸部の側面に原水流出口と浄水流入口を設けて、浄水手段を前記湯沸かしユニットの上部に設ける構成とした請求項４または５に記載の給湯装置。
【請求項７】
浄化手段で浄化した水を取り出す浄水経路及び浄水口と、浄化した水を湯沸かしユニットで加熱した後取り出す出湯経路及び出湯口とを別々に設ける構成とした請求項２に記載の給湯装置。
【請求項８】
浄水手段と湯沸かしユニットとをシンクキャビネットの筐体内に設ける構成とした請求項１〜７のいずれか１項に記載の給湯装置。
【請求項９】
浄水手段をシンク側壁とシンクキャビネットの仕切り板との間に設ける構成とした請求項８記載の給湯装置。
【請求項１０】
シンクキャビネットはスライド式の収納棚を有し、湯沸かしユニットを前記収納棚の奥の背面空間に設置する構成とした請求項８または９に記載の給湯装置。
【請求項１１】
シンクキャビネットはスライド式の収納棚を有し、浄水手段と湯沸かしユニットを前記収納棚の奥の背面空間に設置する構成とした請求項８または１０に記載の給湯装置。
【請求項１２】
水道水を取水する原水流入口と浄化した水道水を排出する浄水流出口とを有する浄水手段と、前記浄水手段で浄水した前記水道水を加熱し出湯する湯沸かしユニットとを備え、前記湯沸かしユニットは、固定台ベースと、外周にねじ部を設けた円筒部と、前記原水流出口と前記浄水流入口とを有する前記湯沸かしユニットの支持体に固定された固定台を有し、前記浄水手段は、一端に原水流入口と浄水流出口とを有し、外周にリブを有し、前記固定台と前記浄水手段との外側に嵌合する一端に前記ねじ部に対応する突起と他端に前記リブと係合する係合部とを有する固定リングをさらに有し、前記浄水手段を前記円筒部に挿入し、前記原水流出口と前記原水流入口、並びに前記浄水流入口と前記浄水流出口とを嵌合した後、前記固定リングを嵌め、ねじ込む事により前記浄水手段を前記湯沸かしユニットに着脱可能として取付ける構成とした給湯装置。
【請求項１３】
固定台ベースに浄水手段の原水流入口または浄水流出口を載置して、これらを固定台の原水流出口と浄水流入口に案内する案内板を設けてなる請求項１２に記載の給湯装置。
【請求項１４】
円筒部の一部に開口と、それに連続して少なくとも上下のどちらか一方に案内板を設け、浄水手段の原水流入口と浄水流出口とを前記開口より前記案内板にしたがって挿入する構成とした請求項１２に記載の給湯装置。
【発明の詳細な説明】
【０００１】
【発明の属する技術分野】
本発明はシンクキャビネットの筐体内などに設置し、水道水を浄化した水および高温のお湯を供給する給湯装置に関する。
【０００２】
【従来の技術】
従来、この種の給湯装置としては、例えば、特許第２６７７２１１号公報に記載されているようなものがあった。前記公報では、１つの器体内に浄水器と加熱手段を有する貯湯容器とを並べて設け、器体外の給水源から浄水器への給水経路と、浄水器を経た浄水を貯湯容器に供給する浄水供給路と、浄水器を経た浄水を器体外に吐出させる浄水吐出路と、貯湯容器内の貯湯液を器体外に注出させる貯湯液注出路とを設け、器体に浄水器の浄水カートリッジを出し入れする出し入れ口を外部に開放させる開放口を有する構成としたものが記載されている。
【０００３】
【発明が解決しようとする課題】
しかしながら、前記従来の構成では、広い空間に給湯装置を設置する場合には、浄水カートリッジを容易に取替えることができるが、シンクキャビネットの筐体などのように、他の構成部品が設けられたり、またはいろいろなものが収納されたりしているような狭い空間の場合では、浄水カートリッジの取替えにあたっていちいち開放口を開放し取替えるということは厄介なことであった。
【０００４】
本発明は、前記従来の課題を解決するもので、狭い空間でも容易に浄水カートリッジの交換ができる給湯装置を提供することを目的としている。
【０００５】
【課題を解決するための手段】
前記従来の課題を解決するために、本発明の給湯装置は、取水するための原水流入口と浄化した水を排出する浄水流出口とを有する浄水手段と、外郭を形成する本体を有し前記浄水手段で浄化した水を加熱し出湯する湯沸かしユニットとを備え、前記湯沸かしユニットは、水道水を前記本体内に導入し、前記水道水を前記浄水手段に排出する原水流出口と前記浄水手段で浄化した水道水を前記本体内に取水する浄水流入口とを前記本体の外面に設け、前記浄水手段を前記湯沸かしユニットに着脱可能として取り付けたことにより、給湯装置がシンクキャビネット等の奥で狭い空間に据え付けられても浄水手段位置を容易に認識できるとともに、浄水手段の交換作業が容易となる。
【０００６】
【発明の実施の形態】
請求項１に記載の発明は、取水するための原水流入口と浄化した水を排出する浄水流出口とを有する浄水手段と、外郭を形成する本体を有し前記浄水手段で浄化した水を加熱し出湯する湯沸かしユニットとを備え、前記湯沸かしユニットは、水道水を前記本体内に導入し、前記水道水を前記浄水手段に排出する原水流出口と前記浄水手段で浄化した水道水を前記本体内に取水する浄水流入口とを前記本体の外面に設け、前記浄水手段を前記湯沸かしユニットに着脱可能として取り付けたことにより、浄水手段を湯沸かしユニットの外部に設置し外部で着脱作業ができることができ、着脱作業が容易になり、また浄水手段の位置を容易に確認することができる。
【０００７】
請求項２に記載の発明は、取水するための原水流入口と浄化した水を排出する浄水流出口とを有する浄水手段と、外郭を形成する本体を有し前記浄水手段で浄化した水を前記本体内に導入し給水経路を通して前記本体内に設けられた貯水容器に吐水しさらに前記貯水容器内で加熱して出湯する湯沸かしユニットとを備え、前記湯沸かしユニットは、水道水を前記本体内に導入するとともに、前記給水経路上に前記浄水手段で浄化した水道水を前記本体外部の浄水口から吐出させるよう切り替えるための切替弁を有し、前記水道水を前記浄水手段に排出する原水流出口と前記浄水手段で浄化した水道水を取水する浄水流入口とを前記本体の外面に設け、前記浄水手段を前記湯沸かしユニットに着脱可能として取り付けたことにより、浄水手段を湯沸かしユニットの外部に設置することができ、浄水手段の周囲に空間の余裕があり着脱が容易になる。また、浄水手段を着脱する時に、湯沸かしユニットの原水流出口や浄水流入口、あるいは浄水手段の原水流入口や浄水流出口から水があふれ出た場合にも、湯沸かしユニットの外面に水が付着するのでふき取りが容易である。さらに、湯沸かしユニットと浄水手段の占める空間を小さくして、省スペース化を図ることができる。
【０００８】
請求項３に記載の発明は、特に、湯沸かしユニットの原水流出口と浄水手段の原水流入口、並びに湯沸かしユニットの浄水流入口と浄水手段の浄水流出口とを対向して設ける構成としたことにより、流入口と流出口とを直接接続する事ができ、余分な配管を無くすとともに接続工事を簡素化することができる。
【０００９】
請求項４に記載の発明は、取水するための原水流入口と浄化した水道水を排出する浄水流出口とを有する浄水手段と、前記浄水手段で浄化した水を加熱し出湯する湯沸かしユニットとを備え、前記湯沸かしユニットは、凸部を設け、前記凸部には少なくとも水道水を導入する原水経路と接続する原水供給口と、前記水道水を排出する原水流出口と、前記浄水手段で浄化した水道水を取水する浄水流入口と、前記浄水手段で浄化した水道水が通る浄水経路と接続する浄水出口と、湯が通る出湯経路と接続する熱湯出口とを設け、前記浄水手段を前記湯沸かしユニットの外面に沿って設けるとともに、前記浄水手段を前記凸部に着脱可能として取り付けたことにより、浄水手段の水路と、湯沸かしユニットの水路との接続が容易になるとともに、浄水手段と湯沸かしユニットを一体化して小型化できる。また、凸部に、水道水を導入する原水経路と接続する原水供給口と、前記浄水手段で浄化した水道水が通る浄水経路と接続する浄水出口と、出湯経路と接続する熱湯出口とを一緒に設けたので、さらに、配管工事が一箇所ででき作業性が良くなる。
【００１０】
請求項５に記載の発明は、特に、湯沸かしユニットは、水を貯える貯水容器と前記水を加熱するヒータと、前記貯水容器で発生する蒸気を逃がす蒸気経路とを備え、前記蒸気経路と接続する蒸気出口を、凸部にさらに設けたことにより、さらに、貯水容器内の水を大気に開放された空間で加熱することができる。
【００１１】
請求項６に記載の発明は、特に、凸部を湯沸かしユニットの上部に設けるとともに、前記凸部の上面に原水供給口と浄水出口と熱湯出口を設け、前記凸部の側面に原水流出口と浄水流入口を設けて、浄水手段を前記湯沸かしユニットの上部に設けることにより、さらに、外部からの位置認識が容易となり浄水手段の交換作業が容易になる。
【００１２】
請求項７に記載の発明は、特に、浄化手段で浄化した水を取り出す浄水経路及び浄水口と、浄化した水を湯沸かしユニットで加熱した後取り出す出湯経路及び出湯口とを別々に設ける構成としたことにより、浄化をして加熱していない水と浄化して高温にしたお湯とを選択して利用する事ができる。
【００１３】
請求項８に記載の発明は、特に、浄水手段と湯沸かしユニットとをシンクキャビネットの筐体内に設ける構成としたことにより、比較的空間が広いため交換がしやすい。なお、シンクキャビネットの上壁面に交換用の開口を設ければ、シンクキャビネットの上壁面より浄水手段を交換するようにすることもできる。
【００１４】
請求項９に記載の発明は、特に、浄水手段をシンク側壁とシンクキャビネットの仕切り板との間に設ける構成としたことにより、シンク側壁とシンクキャビネットの仕切り板との間の空間は比較的広いため交換がしやすい。なお、シンクキャビネットの上壁面に交換用の開口を設ければ、またシンクキャビネットの上壁面より浄水手段を交換するようにすることもできる。
【００１５】
請求項１０に記載の発明は、特に、シンクキャビネットはスライド式の収納棚を有し、湯沸かしユニットを前記収納棚の奥の背面空間に設置する構成としたので、スライド式収納棚の巾を広くするとともに収納容量を多くすることができる。また、浄水手段が湯沸かしユニットの外側にあるので、認識し易いので交換が容易である。
【００１６】
請求項１１に記載の発明は、特に、シンクキャビネットはスライド式の収納棚を有し、浄水手段と湯沸かしユニットとを前記収納棚の奥の背面空間に設置する構成としたので、スライド式の収納棚の収納容量を多くすることができる。また、湯沸かしユニットが奥の狭い空間に配置されていても、浄水手段が湯沸かしユニットの外側にあるので、浄水手段を認識することができるので浄化手段の交換を容易にすることができる。
【００１７】
請求項１２に記載の発明は、水道水を取水する原水流入口と浄化した水道水を排出する浄水流出口とを有する浄水手段と、前記浄水手段で浄水した前記水道水を加熱し出湯する湯沸かしユニットとを備え、前記湯沸かしユニットは、固定台ベースと、外周にねじ部を設けた円筒部と、前記原水流出口と前記浄水流入口とを有する前記湯沸かしユニットの支持体に固定された固定台を有し、前記浄水手段は、一端に原水流入口と浄水流出口とを有し、外周にリブを有し、前記固定台と前記浄水手段との外側に嵌合する一端に前記ねじ部に対応する突起と他端に前記リブと係合する係合部とを有する固定リングをさらに有し、前記浄水手段を前記円筒部に挿入し、前記原水流出口と前記原水流入口、並びに前記浄水流入口と前記浄水流出口とを嵌合した後、前記固定リングを嵌め、ねじ込む事により前記浄水手段を前記湯沸かしユニットに着脱可能として取付けることにより、浄水手段を簡単に、かつ、確実に安定して取り付けることができる。
【００１８】
請求項１３に記載の発明は、特に、固定台ベースに浄水手段の原水流入口または浄水流出口を載置して、これらを固定台の原水流出口と浄水流入口に案内する案内板を設けてなることにより、浄水手段を固定台に装着する際に案内板が接続部の仮置き台あるいは案内する役割を果たし装着が容易になる。
【００１９】
請求項１４に記載の発明は、円筒部の一部に開口と、それに連続して少なくとも上下のどちらか一方に案内板を設け、浄水カートリッジの原水流入口と浄水流出口とを前記開口より前記案内板にしたがって挿入する構成としたことにより、より容易に浄水手段を取付ける事ができる。
【００２０】
【実施例】
以下本発明の実施例について、図面を参照しながら説明する。
【００２１】
（実施例１）
図１（ａ）は本発明の実施例１における給湯装置の湯沸かしユニット３の外観斜視図、図１（ｂ）は同給湯装置の浄水カートリッジ２の外観斜視図、図１（ｃ）は同給湯装置の側面図である。また、図２は同給湯装置をシンクキャビネット内に用いた場合の正面断面図である。
【００２２】
先ず、本発明の給湯装置をシステムキッチンのシンクキャビネット内に用いた場合につき説明する。
【００２３】
図２において、シンクキャビネット１内に収納されている給湯装置は、浄水手段である浄水カートリッジ２と湯沸かしユニット３とにより構成している。この湯沸かしユニット３は主に湯沸かしユニット３の外郭を形成する本体４と、水を貯える貯水容器５、水を加熱するヒータ６および水量を検知する水位センサ７などより構成されている。
【００２４】
水道管８より分岐して設けた給水弁９を開にすることにより導入した水道水は原水経路１０を通り、水道水を浄化する浄水手段である浄水カートリッジ２に至る。浄水カートリッジ２によって浄化した水は湯沸かしユニット３の本体４内に導入され、給水経路１１を通り貯水容器５の上方に開口した給水口１２より吐水され、貯水容器５に貯水される。貯水された水はヒータ６によって加熱され熱湯になる。
【００２５】
ここで、給水口１２と浄水カートリッジ２とを結ぶ水路上に切替弁１３を設け、この切替弁１３の切替えにより浄化した水を貯水容器５を内包する本体４の外部に設けた浄水口１４から吐出させることができる。一方、貯水容器５の底面近傍に貯水容器５内の湯を取り出す取水口１５を設け、取水口１５から取り出した湯をポンプ１６によって本体４の外部の出湯口１７から吐出させることができる。浄水口１４と出湯口１７は共にシンクキャビネット１上面に設置したシンク１８に対応して設けた水栓１９に設けられている。また、出湯口１７はシンク１８に向けて開口しており、出湯された湯は必ずシンク１８の内側へ入るようになっている。また、２０は貯水容器５で発生する蒸気を逃がすための蒸気口である。なお、２１は浄水した水が通る浄水経路であり、２２はお湯が通る出湯経路であり、２３は蒸気が通る蒸気経路である。
【００２６】
ここで湯沸かしと給水動作について説明する。貯水容器５内で加熱された湯、例えば９０〜９５℃に加熱された湯はポンプ１６によって出湯口１７から吐出され、貯水容器５内の水位は減少する。これを貯水容器５に設けた水位センサ７によって検出し、この結果に基づいて切替弁１３を給水口１２側に開くと共に給水弁９を開き給水を開始する。給水口１２から吐出した水は、まず貯水容器５内に設けた給水皿２４に一旦蓄えられる。蓄えられた水は給水皿２４底面に設けられた滴下パイプ２５によって貯水容器５底部近傍に導水される。この導水された水は比重差から貯水容器５内の既存の湯とは混じり合わず、分離した状態で貯水容器５底部近傍に滞留する。この水の温度を温度センサ２６が検知し、ヒータによって熱湯になるまで加熱される。この時、取水口１５は貯水容器５内へ一度に給水される給水量に相当する位置、即ち貯水容器５底部近傍に滞留する水の上限位置より上方に設置されており、取水口１５から低温の水が取り出されることはない。従って、出湯口１７からはいつでも熱湯しか吐出されることはない。また、貯水容器５内の水は大気に解放された空間で加熱しており、かつ通常最高温度が９５℃を上回らないように制御しており、さらに、何らかの原因で沸騰した場合は蒸気センサ２７でこれを検出しヒータ６を制御するので、貯水容器５内の圧力はほとんど上昇せず、出湯口１７から熱湯が噴出することはない。なお、２８は水道水を吐出させる一般水栓であり、２９は排水管である。
【００２７】
前記構成の給湯装置を使用していると、当然浄水カートリッジの性能は低下してくる。そのため、浄水カートリッジの取替えが必要となる。取替え頻度は使用状態によって異なるが、かなりの頻度である。本実施例ではこの取替え作業を容易にしたことを特徴としている。すなわち、取替えに必要な浄水カートリッジと湯沸かしユニットとを完全に別体としたことである。
【００２８】
以下、本発明の実施例を図面を用いて説明する。
【００２９】
図１（ａ）において、湯沸かしユニット３の上部に凸部３０を設けている。そして、この凸部３０には各種の水路と接続する接続口を設けている。すなわち、凸部３０の側面には浄水カートリッジと接続する原水流出口３１と浄水流入口３２とを設けている。この原水流出口３１と浄水流入口３２の先端部に流水の開閉を行う流水開閉弁（図示せず）をそれぞれに設けている。また、凸部の上面には原水経路１０と接続する原水供給口３３、浄水経路２１と接続する浄水出口、出湯経路２２と接続する熱湯出口、および蒸気経路と接続する蒸気出口を設けている。また、図１（ｂ）に示すように浄水カートリッジ２には原水流入口３７と浄水流出口３８とを設けている。
【００３０】
この浄水カートリッジ２を図１（ｃ）に示すように湯沸かしユニット３の上部に載置し、湯沸かしユニット３の原水流出口３１に浄水カートリッジの原水流入口３７を、また、湯沸かしユニット３の浄水流入口３２に浄水カートリッジの浄水流出口３８を夫々嵌合接続すると、流水開閉弁が開き湯沸かしユニット３から原水が浄水カートリッジ２に流れ込み、浄化され、再び湯沸かしユニット３に還流する経路が形成される。これにより浄水を得る事ができる。
【００３１】
以上のように、本実施例によれば、水道水を取水する原水流入口３７と浄化した水道水を排出する浄水流出口３８とを有する浄水カートリッジ２と、浄水カートリッジ２で浄水した水道水を加熱し出湯する湯沸かしユニット３とを備え、水道水を排出する原水流出口３１と浄水カートリッジ２で浄水された水道水を取水する浄水流入口３８とを湯沸かしユニット３の外面に設けるとともに、浄水カートリッジ２を着脱可能としたことにより、浄水カートリッジ２を湯沸かしユニット３の外部に設置し外部で着脱作業ができることができ、着脱作業が容易になり、また浄水カートリッジ２の位置を容易に確認することができる。
【００３２】
また、浄水カートリッジ２を湯沸かしユニット３の外面に沿って設けるとともに、浄水カートリッジ２を着脱可能としたことにより、浄水カートリッジ２の周囲に空間の余裕があり着脱が容易になる。また、浄水カートリッジ２を着脱する時に、湯沸かしユニット３の原水流出口３１や浄水流入口３２、あるいは浄水カートリッジ２の原水流入口３７や浄水流出口３８から水があふれ出た場合にも、湯沸かしユニット３の外面または、湯沸かしユニット３の周囲に水が付着するのでふき取りが容易である。さらに、湯沸かしユニット３と浄水カートリッジ２の占める空間を小さくして、省スペース化を図ることができる。
【００３３】
また、浄水カートリッジ２を湯沸かしユニット３の上部に湯沸かしユニット３の面に沿って、面と接触させて載置することにより、一体に取付ける事ができる。この一体状態を安定に保持するためには、弾力性を有する支持具を湯沸かしユニット３に設けこれに挟み込むようにするか、ゴムなどの弾性体からなる輪状態に差し込んで固定するか、またはバンドにより抱え込んで取付けるかなどの簡便な方法がある。また、専用の取付け方法については後述する。
【００３４】
このような構成にすることにより、たとえ給湯装置がシンクキャビネット１の奥に載置され、しかもシンクキャビネット１の中にいろいろのものが収納されていたとしても、湯沸かしユニット３の比較的高い上部に浄水カートリッジ２が載置されているために外から容易にそれを認識でき、取替えが簡単にできる。すなわち、浄水カートリッジ２と湯沸かしユニット３とが、一体となり、接していれば浄水カートリッジの位置が容易に確認でき取替えが簡単にできる。
【００３５】
また、湯沸かしユニット３の原水流出口３１と浄水カートリッジ２の原水流入口３７、並びに湯沸かしユニット３の浄水流入口３２と浄水カートリッジ２の浄水流出口３８とを対向して設ける構成としたことにより、相互の流入口と流出口とを直接接続する事ができ、余分な配管を無くすとともに接続工事を簡素化することができる。
【００３６】
なお、浄水カートリッジを湯沸かしユニットの上面に載置する構成では、湯沸かしユニットの熱の影響を直接的に、または間接的にうける。したがって、浄水カートリッジを使用しないまま放置しておいたとしても、熱の影響により凍結する危険性が少なくなる。このため、特に寒冷地に設置する場合は浄水カートリッジを上部に設けるようにすると良い。
【００３７】
また、凸部３０に外部の水路と接続する接続部を集めているので、現場での工事がしやすく、かつ簡潔に工事をする事ができる。
【００３８】
（実施例２）
図３は本発明における実施例２の給湯装置の外観斜視図である。なお、本実施例の基本構成は実施例１と同じなので異なる点を中心に説明する。また、実施例１と同じ機能には同じ符号を付しその説明は省略する。
【００３９】
本実施例の特徴は、実施例１と同様に浄水カートリッジ２と湯沸かしユニット３とを別体とし、浄水カートリッジ２を湯沸かしユニット３に対して着脱可能とした点にある。
【００４０】
図３において、浄水手段である浄水カートリッジ２を湯沸かしユニット３の上部にその上面に沿って接して設けている。このとき、浄水カートリッジ２を弾力性の支持具３９に挟み込むことにより、より安定して湯沸かしユニット３に一体に取付けることができるようにしている。そして、実施例１と同様に湯沸かしユニット３の原水流出口３１に浄水カートリッジの原水流入口３７を、また、湯沸かしユニット３の浄水流入口３２に浄水カートリッジの浄水流出口３８を夫々嵌合すると、流水開閉弁が開き湯沸かしユニット３から原水が浄水カートリッジ２に流れ込み、浄化され、再び湯沸かしユニット３に還流する経路が形成され、浄水を得る事ができる。
【００４１】
なお、浄水カートリッジ２に設けた原水流入口３７および浄水流出口３８、ならびに湯沸かしユニット３に設けた原水流出口３１および浄水流入口３２が突出している場合、湯沸かしユニット３の上面と浄水カートリッジ２との間隔が、これらの嵌合部と他の部分とで異なり、浄水カートリッジ２が湯沸かしユニット３に斜めに取付けられた形となり不安定となる。そこでスペーサ４０を浄水カートリッジ２と湯沸かしユニット３との間に入れることにより、間隔差をなくし、浄水カートリッジ２を湯沸かしユニット３の上面に平行に沿って設けることができる。
【００４２】
また、浄水カートリッジの外形としては、図３では浄水カートリッジ２をより安定に保持できるようにするために、円から円弧を切欠いた断面を有する柱状体を示しているが、これに限定されるものではなく、円柱であっても、多角柱であっても良いのは勿論である。なお、強度としては水道の水圧に耐えるようにする必要がある。そのため、外形はともかくとして、内部の水を浄化する部分、すなわち、活性炭や中空糸を内蔵する水路は断面を円形にするのが一般的である。
【００４３】
なお、浄水カートリッジ２として円柱を用い、スペーサ４０の表面に円の曲率に対応する凹部を設けても安定性はよりよくなる。この点は実施例１についても同様である。
【００４４】
また、浄水カートリッジ２を湯沸かしユニット３に一体に取付ける方法としては弾力性を有する支持具３９以外に、ゴムなどの弾性体からなる輪状態に差し込んで固定する方法、またはバンドにより抱え込んで取付ける方法などの簡便な方法がある。
【００４５】
このような構成にすることにより、実施例１と同様に、湯沸かしユニット３の比較的高い上部に浄水カートリッジ２が載置されているために外から容易にそれを認識でき、取替えが簡単にできる。すなわち、浄水カートリッジ２と湯沸かしユニット３とが、一体となり、接していれば浄水カートリッジの位置が容易に確認でき取替えが簡単にできる。
【００４６】
なお、本実施例の場合、浄水カートリッジ２と湯沸かしユニット３とは嵌合部分以外は直接接していないが、本実施例でいう「接して」とは、前述のように浄水カートリッジ２の所在を明らかにする事を目的としたものであるので、スペーサなどを介して間接に接している場合も含める。
【００４７】
（実施例３）
図４は本発明の実施例３における給湯装置の側面図である。なお、本実施例の基本構成は実施例１と同じなので異なる点を中心に説明する。また、実施例１と同じ機能には同じ符号を付しその説明は省略する。
【００４８】
本実施例では、図４に示すように湯沸かしユニット３の上部に凹部４１を設け、この凹部４１に原水流出口３１および浄水流入口３２を配する構成としたことを特徴としている。そして、この凹部４１で浄水カートリッジ２の原水流入口３７と湯沸かしユニット３の原水流出口３１とを、および浄水カートリッジ２の浄水流出口３８と湯沸かしユニット３の浄水流入口３２とを夫々嵌合する。これによって、浄水カートリッジ２と湯沸かしユニット３とを一体にしてそれぞれを接して取付けることができる。
【００４９】
なお、凹部４１の位置は特に限定されるものではなく、嵌合部分が凹部４１の中に収納できる位置に設ければよい。
【００５０】
また、浄水カートリッジ２と湯沸かしユニット３とを一体化し安定に保持する方法として、湯沸かしユニット３に固定した輪状の弾性体４２に差し込んだ場合を示しているが、実施例１または２に記載した方法を用いても良いのは勿論である。
【００５１】
このような構成にすることにより、浄水カートリッジ２の位置を容易に確認することができ、取替えが簡単にできる。
【００５２】
（実施例４）
図５は本発明の実施例４における給湯装置の側面図である。なお、本実施例の基本構成は実施例１ないし３と同じなので異なる点を中心に説明する。また、実施例１ないし３と同じ機能には同じ符号を付しその説明は省略する。
【００５３】
本実施例では、図５に示すように湯沸かしユニット３の下部に突出部４３を設け、この突出部４３に原水流出口３１および浄水流入口３２を配する構成としたことを特徴としている。そして、浄水カートリッジ２を輪状の弾性体４２に差し込んで固定するとともに、この突出部４３で浄水カートリッジ２の原水流入口３７と原水流出口３１とを、および浄水カートリッジ２の浄水流出口３８と浄水流入口３２とを夫々嵌合する。これによって、浄水カートリッジ２を湯沸かしユニット３に沿って接して取付け一体とすることができる。本実施例の場合、嵌合部に浄水カートリッジ２の重力が加わるため、嵌合部がしっかり固定される事になる。
【００５４】
このような構成にすることにより、浄水カートリッジ２の位置を容易に確認することができ、取替えが簡単にできる。
【００５５】
また、このほか湯沸かしユニットの下部に凹部を設け、この凹部に嵌合部分を設けるようにしても良いのは勿論である。
【００５６】
以上、実施例１ないし４では浄水カートリッジ２を湯沸かしユニットの表面に沿って接して設けることにより、浄水カートリッジ２を容易に確認でき、浄水カートリッジ２の交換を容易にできるという効果を有する。なおここでいう「接して」とは先に述べたように、実際には接していなくても接している場合と同じ効果を得ることができる場合は「接して」の範囲に含まれる。
【００５７】
以下の実施例では、浄水カートリッジと湯沸かしユニットとを別々の場所に設け、かつ、浄水カートリッジの取替えを容易にした構成について説明する。
【００５８】
（実施例５）
本発明の実施例５の給湯装置の構成を先述した図２を用いて説明する。したがって、本実施例の基本構成は実施例１と同じなので異なる点を中心に説明する。また、実施例１と同じ機能には同じ符号を付しその説明は省略する。
【００５９】
図２において、浄水カートリッジ２を湯沸かしユニット３から離し、交換しやすい場所として、シンク側壁４４とシンクキャビネット１の仕切り板４５との間の空間Ａが考えられる。この場合下から浄水カートリッジ２を交換しても良いが、場合によってはシンクキャビネット１の上部より浄水カートリッジ２を交換するようにするため、上部に交換用の開口（図示せず）を設ける構成としてもよい。また、浄水カートリッジ２をシンクキャビネット１の開口近辺に設けるようにしてもよい。この場所は開口に近いため浄水カートリッジ２を容易に確認することができ、交換が簡単となる。
【００６０】
ただし、このように浄水カートリッジ２と湯沸かしユニット３とを離して設ける場合、水が流れる経路が複雑になる恐れがあるので注意する必要がある。
【００６１】
（実施例６）
図６は本発明の実施例６における給湯装置をスライド式の収納棚を有するシンクキャビネットに用いた場合の構成図である。また、スライド式の収納棚を有するシンクキャビネットの正面断面図は図２と同様であり、図６の説明にあたっては図２と合わせて説明する。また、図２と同一構成部品には同一符号を付しその説明を省略する。
【００６２】
図６において、収納棚４６は矢印Ｂに示すようにシンクキャビネット１の前面を前後にスライド移動する。このとき収納棚４６に収納する収納物の取り扱いが容易で、かつできるだけ多くのものを収納できるようにするのが望ましい。そのためには収納棚４６の巾を狭くし収納棚４６の横に給湯装置を設置するよりも、収納棚４６の巾を広くし、かつその奥行きを深くし、その奥の背面空間に給湯装置を設置する方がより好ましい。背面空間に給湯装置を設置すると必然的に浄水カートリッジ２の交換が困難となる。しかるに本実施例に用いた本発明の給湯装置は、浄水カートリッジ２を湯沸かしユニット３の本体４に接して設けているので容易に浄水カートリッジ２の位置を認識でき、かつ認識しながら交換できるので交換しやすい。また、浄水カートリッジ２と湯沸かしユニット３とを離して設けると、実施例５で述べたように浄水カートリッジの交換が容易になるのみならず、浄水カートリッジ２が占めていた部分の空間を利用して貯水容量を減らすことなく湯沸かしユニット３の奥行きを減らすことができるため、収納棚３３の奥行きをさらに深くすることができる。また、浄水経路２１、出湯経路２２および蒸気経路２３を湯沸かしユニットの本体４の上部に配置する構成にすることにより、湯沸かしユニット３の奥行きを減らすことができ、前述と同様の効果が得られる。
【００６３】
（実施例７）
浄水カートリッジと湯沸かしユニットとを一体に取付け、この状態を安定に保持するためには、先述したように弾力性を有する支持具を湯沸かしユニットに設けこれに挟み込むようにするか、ゴムなどの弾性体からなる輪状態に差し込んで固定するか、または、バンドにより抱え込んで取付けるかなどの簡便な方法がある。これ以外に専用の固定具を用いて、浄水カートリッジの交換が容易で安定に固定する方法もある。以下この方法について説明する。
【００６４】
図７は本実施例における給湯装置の要部斜視図である。図８（ａ）は本実施例に用いる浄水カートリッジ６２の側面図であり、図８（ｂ）は浄水カートリッジ６２を貫通させて固定代７に固定させるための固定リング５４の断面図である。なお、実施例１と同じ構成部品には同じ符号を付しその説明は省略する。図７は浄水カートリッジ６２を一体に固定する湯沸かしユニット６３における凸部の他の構成例を示す。図７に示す本実施例の湯沸かしユニット６３が、図１に示す湯沸かしユニット３と異なるのは、湯沸かしユニット６３の凸部５７は、固定台４７と凸部Ａ５８から構成される点である。
【００６５】
固定台４７は原水流出口３１、浄水流入口３２、案内板５１、円筒部４９、及び固定台ベース４８を有し、支持体としての湯沸かしユニット６３の凸部Ａ５８と一体となって凸部５７を構成している。また、円筒部４９にはねじ部５２が樹脂成形により設けられている。また、円筒部４９の一部に浄水カートリッジ６２の原水流入口３７および浄水流出口３８を挿入するための開口５０を設けている。そして、開口５０に連続して上下に案内板５１を設けている。この案内板５１の間隔は開口５０より奥に行くにしたがって狭くなっている。なお、この案内板５１は上または下のどちらか一方であっても良い。また、案内板５１は５１ａ（湯沸かしユニット６３の原水流出口３１と浄水流入口３２の下方の部分）を残すように二点鎖線で案内板５１の他の部分を除去しても浄水カートリッジ６２の原水流入口３７および浄水流出口３８を挿入する際の仮置きとなる。
【００６６】
このような構成の固定台４７に浄水カートリッジ６２を取付ける方法について説明する。浄水カートリッジ６２の原水流入口３７および浄水流出口３８を開口５０に挿入し、案内板５１にしたがって移動させると、浄水カートリッジ６２の側面が円筒部４９の外周部に突き当たる。この位置がちょうど浄水カートリッジ６２の原水流入口３７と湯沸かしユニット６３の原水流出口３１とが、また、浄水カートリッジ６２の浄水流出口３８と湯沸かしユニット６３の浄水流入口３２とが対応する位置となる。したがって、この位置で浄水カートリッジ６２を押し込む事により、それぞれの対応する流出口を嵌合し一体とする事ができる。このとき、案内板５１の間隔が奥に行くほど狭くなっているため、浄水カートリッジ６２を押し込むとがたつかず確実に嵌合させることができる。
【００６７】
次に浄水カートリッジ６２と湯沸かしユニット６３とを安定に保持する方法について説明する図において、浄水カートリッジ６２はリブ５３を有している。また、固定リング５４はその内径が固定台４７の円筒部４９の外径よりやや大きくしてあり、内周面の一端には固定台４７のねじ部に対応する突起５５を設け、他端には浄水カートリッジ６２のリブ５３に係合する係合部５６を設けている。
【００６８】
図７で説明した方法により固定台４７に浄水カートリッジ６２を取付けた後、固定リング５４を浄水カートリッジ６２を通して円筒部４９に被せ、ねじる事により浄水カートリッジ６２と湯沸かしユニット６３とを取付ける事ができる。このとき、保持部５６がリブ５３に係合し、かつ突起５５がねじ部５２と嵌合した状態で５２ａに示す場所から５２ｂに入り込むようにねじるので、浄水カートリッジ６２を締付けることができ、固定台４７に一体にかつ安定して取付けることができる。また、浄水カートリッジ６２を交換するために取外すときは、固定リング５４を外し、浄水カートリッジ６２を引張れば容易に取外す事ができる。
【００６９】
本実施例では固定リング５４で浄水カートリッジ６２を十分湯沸かしユニット６３の凸部に５８に固定できるので、浄水カートリッジ６２を湯沸かしユニット６３に接する必要はない。このような場合には浄水カートリッジ６２は湯沸かしユニット６３に沿ってい配置されていれば両者間にある程度の間隔があっても省スペース、作業性の効果を奏するものである。
【００７０】
なお、先述の例では浄水カートリッジを湯沸かしユニットに取付ける場合について説明したが、これに限定されるものでなく、浄水カートリッジと湯沸かしユニットとを別々の場所に取付ける場合であっても、浄水カートリッジを取付ける位置に原水流出口と浄水流入口とを有する支持体を設け、この支持体に固定台を取付け、同様の手法により浄水カートリッジの着脱を容易にする事ができる。
【００７１】
先述の説明でわかるように、本実施例の構成は実施例１、および実施例４ないし６に対して有効である。
【００７２】
以上述べたように本実施例によれば、浄水カートリッジの交換を容易にする事ができるとともに浄水カートリッジを安定して取付けることができる。
【００７３】
なお、実施例１ないし７では給湯装置をシンクキャビネット内に用いた場合について説明したが、これに限定されるものでなく、浄化した水およびお湯を必要とするところであればどこで用いても良い。
【００７４】
【発明の効果】
以上のように、本発明によれば、狭い空間でも容易に浄水手段の交換ができ浄水手段の視認性を良くすることができる。
【図面の簡単な説明】
【図１】  （ａ）本発明の実施例１における給湯装置の湯沸かしユニットの外観斜視図
（ｂ）同給湯装置の浄水カートリッジの外観斜視図
（ｃ）同給湯装置の側面図
【図２】  同給湯装置をシンクキャビネット内に用いた場合の正面断面図
【図３】  本発明の実施例２における給湯装置の外観斜視図
【図４】  本発明の実施例３における給湯装置の側面図
【図５】  本発明の実施例４における給湯装置の側面図
【図６】  本発明の実施例６における給湯装置をスライド式の収納棚を有するシンクキャビネットに用いた場合の構成図
【図７】  本発明の実施例７における給湯装置の要部斜視図
【図８】  （ａ）同給湯装置の浄水カートリッジの側面図
（ｂ）同給湯装置の固定リングの断面図
【符号の説明】
１  シンクキャビネット
２  浄水カートリッジ（浄水手段）
３  湯沸かしユニット
３０  凸部（湯沸かしユニット）
３１  原水流出口
３２  浄水流入口
３７  原水流入口
３８  浄水流出口
４３  突出部
４４  シンク側壁
４５  仕切り板
４６  収納棚
４７  固定台（湯沸かしユニット）
４８  固定台ベース
４９  円筒部
５０  開口
５１  案内板
５２  ねじ部
５３  リブ
５４  固定リング
５５  突起
５６  係合部
５７  凸部（湯沸かしユニット）
５８  凸部Ａ（湯沸かしユニット）
６２  浄水カートリッジ（浄水手段）
６３  湯沸かしユニット
【図１】
0003669339.tif 000002
【図２】
0003669339.tif 000003
【図３】
0003669339.tif 000004
【図４】
0003669339.tif 000005
【図５】
0003669339.tif 000006
【図６】
0003669339.tif 000007
【図７】
0003669339.tif 000008
【図８】
0003669339.tif 000009